(57)【要約】      （修正有）【課題】特定の人間がその死去に先立ち、確実にかつ安全に特定の個人に関わるメッセージを残し、他の人々に伝える音声・画像記録付きエンディングノートを提供する。【解決手段】自分の人生の概略、自分の葬儀への希望、連絡してほしい人の情報を記録または収納するエンディングノート１において、当該エンディングノートには死後公開できるように生前に秘密にして重要な情報を音声、及び画像によって記録することができる装置に送られて、音声及び画像記録を収録できる記録媒体２が添付されている。【選択図】図１
0003226536.tif 000002
【実用新案登録請求の範囲】
【請求項１】
自分の人生の概略、自分の葬儀への希望、連絡してほしい人の情報を記録または収納するエンディングノートにおいて、
前記エンディングノートに併せてエンディングノートに記載された内容で死後公開できるように生前に秘密にして重要な情報を音声、及び画像によって記録することができる装置に送られて音声、及び画像で記録されていることを特徴とする音声及び画像記録付きエンディングノート。
【請求項２】
前記エンディングノートには、上記自分の葬儀で使用してほしい自分の肖像の画像情報を記録または収納する肖像部、及び自分の葬儀で使用してほしいメッセージ情報を記録または収納する第一のメッセージ部、及び自分の持ち物、自分の宝物または自分が大切にしてきたもの、についての情報を記録または収納する部分、及び自分の持ち物、上記自分の宝物または上記自分が大切にしてきたものについて、通常の肉眼では識別できない状況でパスワード情報、暗証番号情報、開錠情報、電子証明書を音声・画像によって記録することができる装置で記録または収納する部分が設けられていることを特徴とする請求項１記載の音声及び画像記録付きエンディングノート。
【請求項３】
前記エンディングノートには、自分の人生の教訓、自分の座右の銘、自分のモットー、自分のポリシー、先代の教え、家訓などの、自分の家族・子孫へのメッセージ情報、自分と交友のあった人への伝達情報、健康保険、年金、生命保険、災害保険、貸金庫、貯金、預金、証券、金融資産、動産、不動産、有体物、無体物、相続に関する情報を記録収納するメッセージ部が設けられて、上記各情報には、故人の音声、及び画像記録によって、何があるのか、自分の希望、誰に譲るか、何処にあるか、いつ何処からまたは誰から取得したかを開示できるようになっていることを特徴とする請求項１、又は請求項２に記載の音声及び画像記録付きエンディングノート。
【請求項４】
生前秘密にしておきたい項目情報、又は生前の懐かしい音声情報、及び画像情報に関する記録において、死後公開できるようにスマホからの音声、画像によるエンディング記録の要綱に従って、スマホ又はタブレット、又はＰＣのマイク機能に向かって、生前に音声、画像により記録することができる装置に送られて音声記録、及び画像記録され、その記録情報を故人音声記録、さらには動画映像記録として死後聞き取れるように、生前に音声記録、画像記録の存在と場所を特定な人に伝え、死後公開できるように暗唱番号、パスワードを収納している記録開示手段にＵＳＢメモリーを、エンディングノートに添付していることにより、エンディングノートへの記入情報を音声、及び画像により記録することを特徴とする請求項１に記載の音声及び画像記録音付きエンディングノート。
【考案の詳細な説明】
【技術分野】
【０００１】  本考案は、エンディングノートに関し、特に人生の終末に備えて種々の事項を記録して、残余する物品、財産に関する取扱い、死去の報を伝えて欲しい人達等に関するメッセージを音声で記録し、そのメッセージを保管し、特定の人間が指定する方法によりそのメッセージを保管・維持し、開示できるようになっている音声・画像記録付きエンディングノートに関するものである。
【背景技術】
【０００２】  近年、自分の人生に関する事項を書き留めて記録しておくエンディングノートが考えられてきている。このようなエンディングノートには、自分の人生の終活、自分の人生の概略、自分の葬儀への希望、子供、孫などの子孫へのメッセージ、写真、遺言など、種々の事項が記載される（特許文献１〜３参照）。【０００３】特定の人間がその死去に先立ち、残された人達に対して伝えておきたいこと、整理しておきたいこと、残余する物品、財産に関する取扱いに関しては、法律的には遺言という形式をとる。しかし、遺言には法律上で決められた方式があり、その形式に沿わない形式のものは無効とされる。そのため、法律上に沿わない簡易の生前メッセージを生かす方法が無く、単にメモや手紙として遺族に渡しておくしかなかった。しかし、この方法ではその残されたメッセージの保管やそのプライバシーの保護などがないがしろにされ、実質的に意味を持たないものとなっていた。文面と併せて、音声と動画において記録して、保存しておくことが望まれている。【０００４】従来、エンディングノートは、とりわけ、お年寄りが、近い将来死亡する場合に備えて所定の事柄を記載して記録するものとして知られていた。ここで、エンディングノートとは、自らの情報、例えば、氏名、住所、本籍等の基本情報、預貯金、不動産、保険等の資産に関する情報、家族や親族等に関する情報、葬儀やお墓に関する情報、遺言に関する情報、財産相続に関する情報等を生前に予め記録しておくものである。そして、それにより、死後における種々の手続きを円滑に進め得るという効果を有していた。【０００５】棺様の箱の中に人が仰向けに横たわって入り、該人の耳の近傍に備えられたスピーカーからの音声によるエンディングノートへの記入項目の問いかけに対して、該人の口の近傍に備えられたマイクロフォンに向かって、該人が音声により応答し、該音声が、該マイクロフォンにより受け取られた音声を記録することができる装置に送られて記録されることにより、エンディングノートへの記入項目を音声により記録する方法が提案されている（特許文献４参照）。【０００６】エンディングノートとしては、自分の履歴、家系、年表、思い出、出逢いが少なくとも記載される項目別頁を有した自分史部と、死亡時に知らせて欲しい人達の住所録、自分からのメッセージ、葬儀についての希望事項、財産目録が少なくとも記載される項目別頁を有したエンディング部と、思い出の写真収納コーナー、遺影写真入れ、大切な物入れを有した物入れ部とから少なくとも構成し、且つ前記自分史部と前記エンディング部及び前記物入れ部を同時にファイルし、且つ項目別頁が増減可能としたライフノートが提案されている（特許文献５参照）。【０００７】自分の足跡や、人生の思い出や、子供達や縁者に対する希望や願いを綴れる本形式のノート本体にあって、少なくともその見開き部分には、遺言とその方式の説明及び遺言のフォームや入力手段や、各地相談所、公証人役場との連絡手段があり、他に法的な書式に則とった遺言書のページが掲載されていることを特徴とした遺言ノート、及び、自分の人生の概略、自分の葬儀への希望、連絡してほしい人の情報を記録または収納するエンディングノートにおい���、上記自分の性別に応じて、当該エンディングノートの色彩、模様または形状を異なる形態としたエンディングノート等が知られている（特許文献６参照）。【０００８】また、個人情報を登録するための効率的、かつ、利便性が高いエンディングノート作成サーバを提供するものとして、エンディングノートを作成するためのエンディングノート作成情報を記憶する記憶部と、前記エンディングノート作成情報を管理する制御部とを備え、  前記エンディングノート作成情報は、第１ユーザの第１識別情報と対応する属性を特定するための質問を含む質問群を有し、前記制御部は、前記質問群から選んだ１つ以上の質問を送信すること、及び前記１つ以上の質問に対して返信された回答結果に基づいて、前記質問群を前記属性により適合した質問群に変更すること、を複数回繰り返すように構成されている、エンディングノート作成サーバ等が知られている（特許文献７）。【０００９】エンディングノートとして、自分の足跡や、人生の思い出や、子供達や縁者に対する希望や願いを綴れる本形式のノートが多い、死後にメモや手紙として遺族に渡しておくしかなかった。しかし、この方法ではその残されたメッセージの保管やそのプライバシーの保護などがないがしろにされ、もめごとが多く残る場合がある。本質的な点を音声・画像で残しておくことは有効である。このように音声・画像をノートと併せて残すようなものは存在していない。
【先行技術文献】
【特許文献】
【００１０】
【特許文献１】特開２０１６−１９９０２７号公報
【特許文献２】特開２０１５−７４１０１号公報
【特許文献３】特開２００８−１７３８５４号公報
【特許文献４】特開２０１７−９０９７５号公報
【特許文献５】特開２００８−１７３８５４号公報
【特許文献６】特開２００６−２２４３５３号公報
【特許文献７】特開２０１５−９０６５２号公報
【考案の概要】
【考案が解決しようとする課題】
【００１１】  本考案は、上述した課題を解決するためになされたものであり、本考案のエンディングノートの目的は、このようなエンディングノートをより有意義なものにしようというものである。しかし特定の人間がその死去に先立ち、残された人達に対して伝えておきたいこと、整理しておきたいこと、残余する物品、財産に関する取扱いに関しては、法律的には遺言という形式をとる。しかし、遺言には法律上で決められた方式があり、その形式に沿わない形式のものは無効とされる。そのため、法律上に沿わない簡易の生前メッセージを生かす方法が無く、単にメモや手紙として遺族に渡しておくしかなかった。しかし、この方法ではその残されたメッセージの保管やそのプライバシーの保護などがないがしろにされ、実質的に意味を持たないものとなっていた。【００１２】特定の人間の死去に先立ち、その人間が希望する葬儀方式、墓の管理などをあらかじめ聞き取り、その特定の個人の死去後にその意向に沿って支援を行うだけのものであり、特定の人間がその死去に先立ち、残された人達に対して伝えておきたいこと、整理しておきたいこと、残余する物品、財産に関する取扱いに関しての意思を保管し、死去後に実行するものとはなっていない。この課題を実現するために、特定の人間にあらかじめパーソナルコンピュータあるいは携帯電話、スマホなどの情報処理機能を有する端末装置を介して、その特定の人間の生前の意思をメッセージの形式で作成してもらい、そのメッセージを情報処理装置内で音声及び画像記録によって保管・管理し、その特定の人間の死去の報により、あらかじめ定められた方式で、該特定の人間の残したメッセージの内容に従って通知、処理を行い、個人の肉声、生前の動画を管理、開示するシステムを提供することにある。【００１３】エンディングノートとして、自分の足跡や、人生の思い出や、子供達や縁者に対する希望や願いを綴れる本形式のノートが多い、残された人達に対して伝えておきたいこと、整理しておきたいこと、残余する物品、財産に関する取扱いに関しての意思を保管し、死去後に実行するものとはなっていない。死後にメモや手紙として遺族に渡しておくしかなかった。しかし、この方法ではその残されたメッセージの保管やそのプライバシーの保護などがないがしろにされ、もめごとが多く残る場合がある。本質的な点を音声及び画像記録で後世に残しておくことをエンディングノートに付け加えることで、前記課題を解決すること提案するものである。
【課題を解決するための手段】
【００１４】  上記目的を達成するために、本考案のエンディングノートは、  自分の人生の概略、自分の葬儀への希望、連絡してほしい人の情報を記録または収納するエンディングノートにおいて、生前に秘密にして重要な情報を音声、及び画像（動画）によって記録することができる装置をエンディングノートに添付した。【００１５】  自分の人生の概略、自分の葬儀への希望、連絡してほしい人の情報を記録または収納するエンディングノートにおいて、
当該エンディングノートには死後公開できるように生前に秘密にして重要な情報を音声、画像によって記録することができる装置に送られて音声・画像記録されている音声・画像記録付きエンディングノートである。【００１６】  上記エンディングノートには、上記自分の葬儀で使用してほしい自分の肖像の画像情報を記録または収納する肖像部、及び自分の葬儀で使用してほしいメッセージ情報を記録または収納する第一のメッセージ部、及び自分の持ち物、自分の宝物または自分が大切にしてきたものについての情報を記録または収納する部分、及び自分の持ち物、上記自分の宝物または上記自分が大切にしてきたものについて、通常の肉眼では識別できない状況でパスワード情報、暗証番号情報、開錠情報、電子証明書を音声・画像によって記録することができる装置で記録または収納する部分が設けられている。【００１７】  上記エンディングノートには、自分の人生の教訓、自分の座右の銘、自分のモットー、自分のポリシー、先代の教え、家訓などの、自分の家族・子孫へのメッセージ情報、自分と交友のあった人への伝達情報、健康保険、年金、生命保険、災害保険、貸金庫、貯金、預金、証券、金融資産、動産、不動産、有体物、無体物、相続に関する情報を記録収納するメッセージ部が設けられて、上記各情報には、故人の音声記録によって、何があるのか、自分の希望、誰に譲るか、何処にあるか、いつ何処からまたは誰から取得したかを開示できるようになっている。【００１８】生前秘密にしておきたい項目情報、又は生前の懐かしい音声・画像の情報に関する記録において、死後公開できるようにスマホからの音声、画像によるエンディング記録の要綱に従って、スマホのマイク機能に向かって、生前に音声により記録することができる装置に送られて音声記録され、その記録情報を故人音声、及び画像記録として死後聞き取れるように、生前に音声・画像記録の存在と場所を特定な人に伝え、死後公開できるように暗唱番号、パスワードを収納している記録開示手段にＵＳＢメモリーを、エンディングノートに添付していることにより、ＵＳＢの保管ではなく、管理として第三者機関での保管業務によって安全性も担保出来て、第三者機関でエンディングノート様式での記入情報を記録する。
【考案の効果】
【００１９】  これにより、自分の葬儀の執行において、間違えることがなく、円滑に葬儀を行うことができ、また遺族も、エンディングノートが複数ある場合に、エンディングノートを取り違えることがなくなる。さらに、自分が亡くなるまえに、しておきたいことと、すでにしたことを種々の面で整理しておくことができ、死後の葬儀、相続などを円満に遂行できる。【００２０】エンディングノート記入の装置によれば、エンディングノートへの記入項目と音声記録において、記録者がその場で、音声及び画像により記録することから、簡便かつ正確に応答し得、また、その訂正も音声や画像での表情の変化により行えることから容易である。また静かな環境で応答し得ることから、記録者自ら、その死後をより現実的かつ客観的に見つめ直すことができて、自らの素直な気持ちを著しく正確に記録し得る。また、記録者の肉声により記録することができることから、記録者の死後、記録したエンディングノートへの内容の正確性を巡る争い、財産（遺産）相続（配分）をめぐる相続人の間での無用な争いを著しく低減し得ることができる。【００２１】エンディング用メッセージ管理システム、メッセージ提供システムによれば、あらかじめ該個人との間で定めた手順に従って該個人のプライバシー情報、該個人に関わる財産情報、該個人から該個人以外の個人および／あるいは団体に対して伝達したいメッセージ、該個人が該個人の死去に際して該個人の通知を出したい該個人以外の個人／あるいは団体の情報に関するエンディングメッセージを電子情報して管理会社が運用する情報処理装置に保存及び管理し、該エンディングメッセージ電子化ファイル情報の内容を該個人の死去に伴い、あらかじめ該個人との間で定めた手順及び内容に従って該個人以外の個人および／あるいは団体に該エンディングメッセージを音声・画像記録で提供することができ、安全かつ容易にエンディングメッセージに関する執行が可能となる。
【図面の簡単な説明】
【００２２】
【図１】音声・画像記録付きエンディングノートとその付属品に関する図を示す。Ａ：表紙付きエンディングノート  Ｂ：エンディングノートのみ  Ｃ：表紙付きエンディングノートの内面状態
【図２】音声・画像記録付きエンディングノートに記載、記録する情報内容の代表的項目の一例を示す。Ａ：基本情報  Ｂ：健康状態について、  Ｃ：財産について、  Ｂ：葬儀とお墓について
【図３】音声・画像記録付きエンディングノートにおける文章の記載と音声・画像の記録に対する手順を示す。
【図４】音声・画像記録付きエンディングノートの音声・画像記録を行い、管理と開示方法に関するシステムを示す。
【考案を実施するための形態】
【００２３】音声・画像記録付きエンディングノートの音声・画像記録を行い、管理、開示方法について、図によって具体的に説明する。
【実施例１】
【００２４】  自分の人生の概略、自分の葬儀への希望、連絡してほしい人の情報を記録または収納するエンディングノートにおいて、図１に示すように生前にノートの形で文章として残すとことと併せて、音声と画像で想い出などを記録しておくことであり、当該エンディングノートには死後公開できるように生前に秘密にして重要な情報を音声によって記録することができる装置に送られて音声記録されている音声記録付きエンディングノートである。また図２に示すようにノートしては、次の項目で記述する。
１）私について  ・本人の基本情報、・家族について、・経歴、
２）身体について  ・健康状態、
３）財産について  ・財産（預貯金、有価証券、不動産、年金、保険等）
４）葬儀やお墓について  ・葬式の形態、墓の場所と形、連絡先
５）大切なあなたにへ  ・想いの一言、
６）好きなこと  ・など。【００２５】  上記エンディングノートには、上記自分の葬儀で使用してほしい自分の肖像の画像情報を記録または収納する肖像部、及び自分の葬儀で使用してほしいメッセージ情報を記録または収納する第一のメッセージ部、及び自分の持ち物、自分の宝物または自分が大切にしてきたものについての情報を記録または収納する部分、及び自分の持ち物、上記自分の宝物または上記自分が大切にしてきたものについて、死後公開できるようにスマホからの音声、画像によって通常の肉眼では識別できない状況でパスワード情報、暗証番号情報、開錠情報、電子証明書を音声、画像によって記録することができる装置で記録または収納する部分が設けられた。【００２６】  図１に示すように、上記エンディングノートには、例えば自分の人生の教訓、自分の座右の銘、自分のモットー、自分のポリシー、先代の教え、家訓などの、自分の家族・子孫へのメッセージ情報、自分と交友のあった人への伝達情報、健康保険、年金、生命保険、災害保険、貸金庫、貯金、預金、証券、金融資産、動産、不動産、有体物、無体物、相続に関する情報を記録収納するメッセージ部が設けられて、上記各情報と同様な内容で、故人の生前での音声記録、画像記録によって、上記の内容をスマホでの音声、或いは動画で記録しておき、特にエンディングにおける書類、ノート記述情報などで何があるのか、自分の希望、誰に譲るか、何処にあるか、いつ何処からまたは誰から取得したかなどを音声と動画で記録として、死後に開示できるようになっている。【００２７】エンディングノートに記述された記録情報以外に音声、画像記録によるエンディングノートの作成システムについては、前記項目の記述書式に入力として私について  ・本人の基本情報、・家族について、・経歴、身体について  ・健康状態、財産について  ・財産（預貯金、有価証券、不動産、年金、保険等）葬儀やお墓について  ・葬式の形態、墓の場所と形、連絡先大切なあなたにへ  ・想いの一言、好きなこと  の項目で、記述したものと併せて、また図３、図４に示すように前記記述内容と同様に音声、及び動画などの画像についてもＵＳＢに記録して、サーバに保存しておき、暗唱番号、パスワードの付与によって、内容を開示できるようにしている。【００２８】図３に示すように、生前秘密にしておきたい項目情報、又は生前の懐かしい音声、画像などの情報に関する記録において、死後公開できるようにスマホからの音声によるエンディング記録の要綱に従って、スマホのマイク機能に向かって、生前に音声により記録することができる装置に送られて音声で記録され、その記録情報を故人音声記録として死後聞き取れるように、またスマホの写真、動画機能に向かって、生前に顔写真により記録することができる装置に送られて動画で記録され生前に画像記録と音声記録を特定の保存可能な機能に保存して、その存在と場所を特定な人に伝え、死後公開できるように暗唱番号、パスワードを収納している記録開示手段としてのＵＳＢメモリーを、エンディングノートに添付していることにより、エンディングノートへの記入情報を音声・画像により記録するとともに、音声・動画による画像を記録したＵＳＢによって、サーバから開示を受ける。また図４に示すように依頼故人の死後安心して開示できるようになって、故人の想いを汲み出すことが容易になった。
【実施例２】
【００２９】実施例１と同様に自分の人生の概略、自分の葬儀への希望、連絡してほしい人の情報を生前個人が記述した記録であるエンディングノートにおいて、当該エンディングノートに加えて、死後公開できるように生前に秘密にして重要な情報をスマホによって音声、画像を記録して、その記録を送信することができるサーバに送られて音声・動画記録されている。前記音声・画像記録した内容を引き出される暗唱番号、パスワードを収納している記録開示手段にてＵＳＢメモリー付きエンディングノートになっている。特に音声・動画記録されている音声・画像記録について詳細に説明する。【００３０】  ＵＳＢメモリーによって上記音声・画像記録を収録しているエンディングノートの内容での開示は、上記自分の葬儀で使用してほしい自分の肖像の画像情報を記録または収納する肖像部、及び自分の葬儀で使用してほしいメッセージ情報を記録または収納する音声・画像記録のメッセージ部では、自分の持ち物、自分の宝物または自分が大切にしてきたものについての情報を記録または収納する部分、及び自分の持ち物、上記自分の宝物または上記自分が大切にしてきたものについて、通常の肉眼では識別できない状況でパスワード情報、暗証番号情報、開錠情報、電子証明書を含めて、音声・画像によって記録されているサーバ装置から開示して、エンディングノートの記録または収納する部分以外の信憑性の高い情報で公表できるようになっている。【００３１】  上記エンディングノートとＵＳＢメモリーの記録情報には、自分の人生の教訓、自分の座右の銘、自分のモットー、自分のポリシー、先代の教え、家訓などの、自分の家族・子孫へのメッセージ情報、自分と交友のあった人への伝達情報、健康保険、年金、生命保険、災害保険、貸金庫、貯金、預金、証券、金融資産、動産、不動産、有体物、無体物、相続に関する情報を記録収納するメッセージ部が設けられて、上記各情報には、故人の音声記録によって、何があるのか、自分の希望、誰に譲るか、何処にあるか、いつ何処からまたは誰から取得したかを開示できるようになっている。【００３２】生前秘密にしておきたい項目情報、又は生前の懐かしい音声情報に関する記録において、死後公開できるようにスマホからの音声によるエンディング記録の要綱に従って、スマホのマイク機能に向かって、生前に音声により記録することができる装置に送られて音声記録され、その記録情報を故人音声記録として死後聞き取れるように、生前に音声記録の存在と場所を特定な人に伝え、死後公開できるように暗唱番号、パスワードを収納している記録開示手段にＵＳＢメモリーを、エンディングノートに添付していることにより、エンディングノートへの記入情報を音声により信憑性の高い記録情報になっている。
【実施例３】
【００３３】  実施例１と同様に、私の事（自分史）には、自分が過去に住んだ家の住所、画像、位置情報（ＧＰＳ情報）、先祖の墓の住所、この墓の位置情報（ＧＰＳ情報）、自分の両親の生まれ、育ち、自分の祖父母の生まれ、育ち、自分の先祖の生まれ、これら先祖の家の位置情報（ＧＰＳ情報）、これら先祖、現在の家族の性格、自分または先祖の戸籍謄本または住民票、自分または先祖の家系図または系図なども含まれている。【００３４】  私の宝物  家族・大切な人へメッセージ部には、「私の宝物  家族・大切な人へ」の表題が頁の上縁に印刷され、その他模様などが印刷され、大部分は白紙となっている。この私の宝物  家族・大切な人へのメッセージと、自分の大事にしている宝物の情報と、この情報を伝えたい、または譲渡した家族・大切な人の氏名、住所、電話、メールアドレスなどが記載されて記録されエンディングノート内に収納される。【００３５】  上記自分の大事にしている宝物の情報として、自分信念としての人生の教訓、自分の座右の銘、自分のモットー、自分のポリシー、先代の教え、家訓と、その意義・理由等の無体物・無体の財産の情報が、自分の家族・子孫へのメッセージ情報としてエンディングノート内に記載されて記録・収納される。したがって、エンディングノートとはいえ、家族や子孫に、夢と希望を持って、充実した、生きがいのあるように、人生を生きてもらう重要な意義を有する。【００３６】  上記の宝物  何かあれば連絡してほしい人には、交友のあった人、何かあれば連絡してほしい人などの上記氏名などの情報が記載される。間柄（出会いの場・ひと言）には、どのような間柄と伝えてほしいメッセージなどが記載されて記録されエンディングノートなどの情報、これらの相続に関する情報が記載され記録されてエンディングノート内に収納される。また死後公開できるようにスマホからの音声によるエンディング記録の要綱に従って、スマホのマイク機能に向かって、生前に音声により記録することができる装置に送られて音声記録され、その記録情報を故人音声記録として死後聞き取れるように、生前に音声記録の存在と場所を特定な人に伝え、死後公開できるように暗唱番号、パスワードを収納している記録開示手段にＵＳＢメモリーを、エンディングノートに添付していることにより、エンディングノートへの記入情報を音声により信憑性の高い記録情報になっている。【００３７】  私の宝物についてのお願いのメッセージには、「私の宝物についてのお願い」の表題と「財産（預金・証券・金融資産）」の副題が、自分の宝物または持ち物である、貯金、預金、証券、知的財産権、有価証券、債券などの金融資産などの動産・無体物の名称、項目、金額、時価、購入価格、入手経緯、入手年月日時分秒、画像などの情報、これらの相続に関する情報が記載され記録されてエンディングノート内に収納される。「家の事」の表題と、「不動産など」の副題が、その他模様などが印刷されている。自分の持ち物または自分の宝物である、土地、家屋、マンション、土地借地権などの不動産の名称、項目、金額、時価、購入価格、入手経緯、入手年月日時分秒、画像などの情報、これらの相続に関する情報が記載されて記録されエンディングノートと音声・画像の記録に収納される。【００３８】  自分が大切にしてきた物、または収集してきた物とは、例えば電気製品、車両、骨董品、貴金属、宝石、宝玉、遊戯品、切手、チケット、古銭、紙幣、貨幣、フィギア、映像媒体、音楽媒体、玩具、カード、古書、書籍などの印刷物などのほか、身に着けていた眼鏡、入れ歯、コンタクトレンズ、補聴器、かつら、義足、義手、杖など身につけていたものなどである。「私の持ち物について」の表題と、「ゆずりたい人・処分方法など」の題目が、自分の持ち物または自分の宝物について、ゆずりたい人の氏名、連絡先などと、処分方法などの情報、これらの相続に関する情報が記載され記録されてエンディングノート内に収納される。【００３９】  保管場所・会社名・番号の控えのメッセージには、「保管場所・会社名・番号の控え」の表題と、「保険証、生命保険・カードなど」の題目が、保管場所・会社名・番号の控えには、自分の持ち物または自分の宝物である、健康保険関係、年金手帳等の年金関係、生命保険証書などの生命保険関係、事故・災害保険関係、その他の保険関係、貸し金庫、キャッシュカード、クレジットカードなどの金融資産関係のカード関係、パソコン・その他の記憶媒体に記憶された暗号化された情報・秘密情報についての保管場所、会社名、番号、鍵などの情報、これらの相続に関する情報が記載され記録されてエンディングノート内に収納される。【００４０】  この保管場所・会社名・番号の控えには、場合によって、パスワード情報、暗証番号情報、開錠情報、上記暗号化の解読情報、電子証明書、隠し場所、保管場所、カードの隠し場所等の情報、これらの相続に関する情報が記載され記録されてエンディングノート内に収納される。スマホのマイク機能に向かって、生前に音声により記録することができる装置に送られて音声記録され、その記録情報を故人音声記録として死後聞き取れるように、生前に音声記録の存在と場所を特定な人に伝え、死後公開できるように暗唱番号、パスワードを収納している記録開示手段にＵＳＢメモリーを、エンディングノートに添付していることにより、エンディングノートへの記入情報を音声により信憑性の高い記録情報になっている。
【符号の説明】
【００４１】  １…エンディングノート
２…ＵＳＢ
３…スマートフォン
４…音声記録
５…画像記録
７…メッセージ
８…パソコン
９…タブレット
１０…サーバ
１１…バックアップ端末
１２…顧客
１３…管理者端末
１４…顧客関係者
１５…収納袋
１６…収納ケース
１７…表紙
１８…タイトル名
【図１】
0003226536.tif 000003
【図２】
0003226536.tif 000004
【図３】
0003226536.tif 000005
【図４】
0003226536.tif 000006
【手続補正書】
【提出日】令和1年11月5日(2019.11.5)
【手続補正１】
【補正対象書類名】実用新案登録請求の範囲
【補正対象項目名】全文
【補正方法】変更
【補正の内容】
【実用新案登録請求の範囲】
【請求項１】
自分の人生の概略、自分の葬儀への希望、連絡してほしい人の情報を記録または収納するエンディングノートにおいて、
前記エンディングノートに併せてエンディングノートに記載された内容で死後公開できるように生前に秘密にして重要な情報を音声、及び画像によって記録することができる装置に送られて、音声、及び画像を収録された記録媒体として添付されていることを特徴とする音声及び画像記録付きエンディングノート。
【請求項２】
前記エンディングノートには、上記自分の葬儀で使用してほしい自分の肖像の画像情報を記録または収納する肖像部、及び自分の葬儀で使用してほしいメッセージ情報を記録または収納する第一のメッセージ部、及び自分の持ち物、自分の宝物または自分が大切にしてきたもの、についての情報を記録または収納する部分、及び自分の持ち物、上記自分の宝物または上記自分が大切にしてきたものについて、通常の肉眼では識別できない状況でパスワード情報、暗証番号情報、開錠情報、電子証明書を音声・画像によって記録することができる装置に収録されている記録媒体を所持していることを特徴とする請求項１記載の音声及び画像記録付きエンディングノート。
【請求項３】
前記エンディングノートには、自分の人生の教訓、自分の座右の銘、自分のモットー、自分のポリシー、先代の教え、家訓などの、自分の家族・子孫へのメッセージ情報、自分と交友のあった人への伝達情報、健康保険、年金、生命保険、災害保険、貸金庫、貯金、預金、証券、金融資産、動産、不動産、有体物、無体物、相続に関する情報を記録収納するメッセージ部が設けられて、上記各情報には、故人の音声、及び画像記録によって、何があるのか、自分の希望、誰に譲るか、何処にあるか、いつ何処からまたは誰から取得したかの項目を前記記録媒体から開示できるようになっていることを特徴とする請求項１、又は請求項２に記載の音声及び画像記録付きエンディングノート。
【請求項４】
生前秘密にしておきたい項目情報、又は生前の懐かしい音声情報、及び画像情報に関する記録において、死後公開できるようにスマホからの音声、画像によるエンディング記録の要綱に従って、スマホ又はタブレット、又はＰＣのマイク機能に向かって、生前に音声、画像により記録することができる装置に送られて音声記録、及び画像記録され、その記録情報を故人音声記録、さらには動画映像記録として死後聞き取れるように、生前に音声記録、画像記録の存在と場所を特定な人に伝え、死後公開できるように暗唱番号、パスワードを収納している記録開示手段としての記録媒体であるＵＳＢメモリーとして、エンディングノートに添付していることにより、エンディングノートへの記入情報を音声、及び画像により記録することを特徴とする請求項１に記載の音声及び画像記録音付きエンディングノート。
【手続補正書】
【提出日】令和2年3月9日(2020.3.9)
【手続補正１】
【補正対象書類名】実用新案登録請求の範囲
【補正対象項目名】全文
【補正方法】変更
【補正の内容】
【実用新案登録請求の範囲】
【請求項１】
自分の人生の概略、自分の葬儀への希望、連絡してほしい人の情報を記録または収納するエンディングノートにおいて、
前記エンディングノートに併せてエンディングノートに記載された内容で死後公開できるように生前に秘密にして重要な情報を音声、及び画像によって記録することができる装置に送られて、音声、及び画像を収録された記録媒体として添付されていることを特徴とする音声及び画像記録付きエンディングノート。
【請求項２】
前記エンディングノートには、自分の葬儀で使用してほしい自分の肖像の画像情報を記録または収納する肖像部、及び自分の葬儀で使用してほしいメッセージ情報を記録又は収納する第一のメッセージ部、及び自分の持ち物、自分の宝物または自分が大切にしてきたものについての情報を記録又は収納する部分、及び自分の持ち物、自分の宝物、又は自分が大切にしてきたものについての情報を記録又は収納する部分に合わせて、通常の肉眼では識別できない状況でパスワード情報、暗証番号情報、開錠情報、電子証明書を音声・画像によって記録できる装置に収録されている記録媒体を所持していることを特徴とする請求項１記載の音声及び画像記録付きエンディングノート。
【請求項３】
前記エンディングノートには、自分の人生の教訓、自分の座右の銘、自分のモットー、自分のポリシー、先代の教え、家訓などの、自分の家族・子孫へのメッセージ情報、自分と交友のあった人への伝達情報、健康保険、年金、生命保険、災害保険、貸金庫、貯金、預金、証券、金融資産、動産、不動産、有体物、無体物、相続に関する情報を記録収納するメッセージ部が設けられて、上記の各情報に、故人の音声、及び画像記録によって、何があるのか、自分の希望、誰に譲るか、何処にあるか、いつ何処からまたは誰から取得したかの項目を開示できる前記記録媒体が所持していることを特徴とする請求項１、又は請求項２に記載の音声及び画像記録付きエンディングノート。
【請求項４】
生前秘密にしておきたい項目情報、又は生前の懐かしい音声情報、及び画像情報に関する記録において、死後公開できるようにスマホからの音声、画像によるエンディング記録の要綱に従って、スマホ又はタブレット、又はパソコンのマイク機能に向かって、生前に音声、画像により記録することができる装置に送られて音声記録、及び画像記録され、その記録情報を故人音声記録、さらには動画映像記録として死後聞き取れるように、生前に音声記録、画像記録の存在と場所を特定な人に伝え、死後公開できるように暗唱番号、パスワードを収納している記録開示手段としての記録媒体であるＵＳＢメモリーとして、エンディングノートに添付していることにより、エンディングノートへの記入情報を音声、及び画像により記録されていることを特徴とする請求項１に記載の音声及び画像記録音付きエンディングノート。